(57)【特許請求の範囲】
【請求項１】
回動中心部を中心に回動して、遊技球を打球する打球槌と、
通電によって、上記打球槌を吸引する磁束を発生させる励磁コイルと、
該励磁コイルの内側に配置された内側部、上記励磁コイルの外側の両側部に配置された一対の外側部、一対の該外側部と上記内側部とを上記励磁コイルの端面に対向する部位において連結する連結部を有し、上記磁束を通過させるための固定コアと、を備え、
上記打球槌には、上記励磁コイルの通電時に該励磁コイルの内側に配置される可動コアが設けられており、
該可動コアにおける、上記回動中心部を中心とする外周側の部位の略全体には、該回動中心部を中心とする円軌道に沿った円弧状の可動側対向面が形成されており、
上記固定コアには、上記可動側対向面と対向し、上記円軌道に沿った円弧状の固定側対向面が形成されており、
上記可動コアと上記固定コアとは、上記打球槌が回動する過程において、上記可動側対向面と上記固定側対向面とにおいてのみ互いに対向するよう構成されており、
上記打球槌、該打球槌によって打球される遊技球が着座する着座部、及び上記固定コアは、上記磁束を通過させるための軟磁性のベース部材の上に取り付けられており、
該ベース部材は、メインプレートに取り付けられており、
上記ベース部材は、上記打球槌が回動する際の上記可動コアの回動範囲に、上記ベース部材の一部が存在しないことによる切欠き部を有しており、
上記励磁コイルの一部は、上記メインプレートに形成された収容部及び上記切欠き部に配置されており、
上記ベース部材は、上記固定コアの、上記内側部と対面する位置を除き、一対の上記外側部と対面する位置及び上記連結部と対面する位置を含む形状に形成されている、遊技機の球発射装置。
【発明の詳細な説明】
【技術分野】
【０００１】
本発明は、遊技機における遊技領域へ遊技球を発射させる球発射装置に関する。
【背景技術】
【０００２】
パチンコ遊技機等の遊技機に用いられる球発射装置においては、打球槌の駆動の仕方によって、遊技球の発射方式が異なる。遊技球の発射方式としては、例えば、モーターの回転力を利用して動作する打球槌によって遊技球を発射させる方式、ロータリーソレノイドの回転軸に連結された打球槌によって遊技球を発射させる方式、プランジャー型ソレノイドの伸縮動作を利用して遊技球を発射させる方式等がある。
【０００３】
また、ソレノイドの用い方が上記各方式とは異なる例としては、例えば、特許文献１に記載された球発射装置がある。この球発射装置においては、コイルが通電される際に固定子を通る磁場によって可動子が吸引され、可動子に設けられたハンマー（打球槌）によって遊技球が打球される。また、コイルの内径部に配置された内鉄心の一端部には、吸引凹部が形成されている。そして、コイルの通電によって可動子が回動するときには、可動子に形成された突出頭部が吸引凹部に挿入される。これにより、コイルが通電された際に固定子を通る磁場によって、可動子が固定子に吸引されやすくしている。
【先行技術文献】
【特許文献】
【０００４】
【特許文献１】特開２００８−１３２１４９号公報
【発明の概要】
【発明が解決しようとする課題】
【０００５】
しかしながら、特許文献１における、固定子の吸引凹部と可動子の突出頭部とは、可動子及びハンマーが回動する過程において、互いの間隔が一定しない。そのため、ハンマーによる遊技球の発射強度をさらに高めるためには、特許文献１に記載された固定子及び可動子の構造では不十分である。
【０００６】
本発明は、かかる課題に鑑みてなされたもので、打球槌による遊技球の発射強度を効果的に高めることができる遊技機の球発射装置を提供しようとして得られたものである。
【課題を解決するための手段】
【０００７】
本発明の一態様は、回動中心部を中心に回動して、遊技球を打球する打球槌と、
通電によって、上記打球槌を吸引する磁束を発生させる励磁コイルと、
該励磁コイルの内側に配置された内側部、上記励磁コイルの外側の両側部に配置された一対の外側部、一対の該外側部と上記内側部とを上記励磁コイルの端面に対向する部位において連結する連結部を有し、上記磁束を通過させるための固定コアと、を備え、
上記打球槌には、上記励磁コイルの通電時に該励磁コイルの内側に配置される可動コアが設けられており、
該可動コアにおける、上記回動中心部を中心とする外周側の部位の略全体には、該回動中心部を中心とする円軌道に沿った円弧状の可動側対向面が形成されており、
上記固定コアには、上記可動側対向面と対向し、上記円軌道に沿った円弧状の固定側対向面が形成されており、
上記可動コアと上記固定コアとは、上記打球槌が回動する過程において、上記可動側対向面と上記固定側対向面とにおいてのみ互いに対向するよう構成されており、
上記打球槌、該打球槌によって打球される遊技球が着座する着座部、及び上記固定コアは、上記磁束を通過させるための軟磁性のベース部材の上に取り付けられており、
該ベース部材は、メインプレートに取り付けられており、
上記ベース部材は、上記打球槌が回動する際の上記可動コアの回動範囲に、上記ベース部材の一部が存在しないことによる切欠き部を有しており、
上記励磁コイルの一部は、上記メインプレートに形成された収容部及び上記切欠き部に配置されており、
上記ベース部材は、上記固定コアの、上記内側部と対面する位置を除き、一対の上記外側部と対面する位置及び上記連結部と対面する位置を含む形状に形成されている、遊技機の球発射装置にある。
【発明の効果】
【０００８】
上記遊技機の球発射装置においては、可動コア及び固定コアの形状に工夫をし、打球槌が回動する過程における、可動コアと固定コアとの間隔が一定になるようにしている。具体的には、可動コアにおける外周側の部位の略全体に、円弧状の可動側対向面が形成され、固定コアに、可動側対向面と対向する円弧状の固定側対向面が形成されている。そして、コイルが通電されて打球槌が回動する過程においては、可動コアと固定コアとは、可動側対向面と固定側対向面とにおいてのみ互いに対向し、可動側対向面と固定側対向面との間隔が一定に維持される。これにより、可動コアと固定コアとの間に作用する磁気吸引力を効果的に高めることができ、打球槌による遊技球の発射強度を効果的に高めることができる。
【０００９】
それ故、上記遊技機の球発射装置によれば、打球槌による遊技球の発射強度を効果的に高めることができる。
【図面の簡単な説明】
【００１０】
【図１】実施形態１にかかる、打球槌が初期位置にある球発射装置を、遊技機の前方側から見た状態で示す断面説明図。
【図２】実施形態１にかかる、打球槌が打球位置にある球発射装置を、遊技機の前方側から見た状態で示す断面説明図。
【図３】実施形態１にかかる、打球槌の回動中心部の周辺、及び励磁コイルの周辺を、側方から見た状態で示す断面説明図。
【図４】実施形態１にかかる、球発射装置が配置された遊技機を示す説明図。
【図５】実施形態２にかかる、打球槌が初期位置にある球発射装置を、遊技機の前方側から見た状態で示す断面説明図。
【図６】実施形態２にかかる、球発射装置が配置された遊技機を示す説明図。
【発明を実施するための形態】
【００１１】
上述した遊技機の球発射装置にかかる好ましい実施形態について、図面を参照して説明する。
（実施形態１）
本形態の遊技機６の球発射装置１は、図１、図２に示すように、回動中心部３２を中心に回動して、遊技球８を打球する打球槌３と、通電によって、打球槌３を吸引する磁場を発生させる励磁コイル２３と、励磁コイル２３の内側に配置された部分を有し、磁場を通過させるための固定コア４とを備える。
【００１２】
打球槌３には、励磁コイル２３の通電時に励磁コイル２３の内側に配置される可動コア３４が設けられている。可動コア３４における、回動中心部３２を中心とする外周側の部位の略全体には、回動中心部３２を中心とする円軌道Ｃに沿った円弧状の可動側対向面３４１が形成されている。固定コア４には、可動側対向面３４１と対向し、上記円軌道Ｃに沿った円弧状の固定側対向面４１１が形成されている。
球発射装置１は、打球槌３が回動する過程において、可動コア３４と固定コア４とが、可動側対向面３４１と固定側対向面４１１とにおいてのみ互いに対向するよう構成されている。このことは、打球槌３の回動中において、可動コア３４と固定コア４との間隔は、可動側対向面３４１と固定側対向面４１１との間において一定に保たれることを意味する。
【００１３】
以下、本形態の遊技機６の球発射装置１について詳説する。
図４に示すように、本形態の遊技機６はパチンコ遊技機である。遊技機６は、遊技領域６２１が形成された遊技盤６２、遊技盤６２が取り付けられた本体枠６１、本体枠６１に取り付けられた球皿６６等を備える。遊技盤６２には、遊技球８を遊技領域６２１に導くための円弧状の外レール６３と、外レール６３とともに遊技盤６２上に遊技領域６２１を区画形成するための内レール６４とが配置されている。打球槌３によって打球される遊技球８は、外レール６３に向けて発射される。また、球皿６６の後方には、球皿６６から流下する遊技球８を１球ずつ整流して後述する着座部５へ送り出す整流器が配置されている。球発射装置１は、本体枠６１における遊技盤６２の配置箇所の下方に配置されている。球発射装置１は、遊技機６の左右方向の中央付近であって球皿６６の後方に配置されている。
【００１４】
図１、図２に示すように、球発射装置１において、打球槌３、固定コア４、及び打球槌３によって打球される遊技球８が着座する着座部５は、磁場を通過させる軟磁性であって板状のベース部材２２の上に取り付けられている。また、励磁コイル２３は、樹脂製のボビン２３１の外周に巻き付けられており、固定コア４に取り付けられている。ベース部材２２及び打球槌３の本体部３１は、軟磁性材料である冷間圧延鋼板（ＳＰＣＣ）によって構成されており、可動コア３４及び固定コア４は、軟磁性材料である電磁鋼板によって構成されている。球発射装置１は、励磁コイル２３に通電を行った際に形成される磁場が、打球槌３、可動コア３４、固定コア４及びベース部材２２を通過して磁路Ｊを形成するよう構成されている。
【００１５】
ベース部材２２は、樹脂製のメインプレート２１に取り付けられている。メインプレート２１に対してベース部材２２、打球槌３、固定コア４、着座部５等が配置された表面は、遊技機６の前後方向における前方側に配置される。着座部５には、打球槌３によって打球される遊技球８を、着座部５の着座位置５２１へ案内する案内部材５１が設けられている。また、着座部５には、案内部材５１に対してスライド可能で、遊技球８の着座位置５２１を調整可能な発射レール５２が取り付けられている。
【００１６】
打球槌３、固定コア４及び着座部５が、同じベース部材２２上に取り付けられていることにより、球発射装置１の剛性を高くし、かつ、打球槌３、固定コア４及び着座部５の取付精度を高めることができる。これにより、打球槌３による遊技球８の発射精度を高めることができる。また、励磁コイル２３が通電されたときに形成される磁場（磁束）は、固定コア４だけでなくベース部材２２も通過する。そして、固定コア４とベース部材２２とに磁場が形成されることにより、励磁コイル２３及び固定コア４による可動コア３４の磁気吸引力を高めることができる。
【００１７】
図１、図２に示すように、本形態の固定コア４は、球発射装置１の前後方向及びベース部材２２の板厚方向から見て、略Ｅ形状に形成されている。固定コア４は、励磁コイル２３の内側に配置された内側部４１と、励磁コイル２３の外側の両側部に配置された一対の外側部４２Ａ，４２Ｂと、一対の外側部４２Ａ，４２Ｂと内側部４１とを励磁コイル２３の端面に対向する部位において連結する連結部４３とを有する。
略Ｅ形状の固定コア４によれば、内側部４１と一対の外側部４２Ａ，４２Ｂとを通過する磁場を形成することができる。これにより、内側部４１の両側にループ状の磁路Ｊを形成することができ、励磁コイル２３及び固定コア４による可動コア３４の磁気吸引力をさらに高めることができる。
【００１８】
内側部４１は、励磁コイル２３の内側の空間全体における略半分の部位に配置されている。内側部４１は、励磁コイル２３の内側における、打球槌３の回動中心部３２を中心とする外周側の付近に形成されている。固定側対向面４１１は、凹状の曲面として内側部４１に形成されている。固定側対向面４１１は、一方の外側部４２Ａから他方の外側部４２Ｂに向けて形成されている。固定側対向面４１１は、励磁コイル２３の中心軸線Ｘ上に投影したときに、励磁コイル２３の中心軸線Ｘの方向の全長における半分以上の長さに形成されている。
【００１９】
図１、図２に示すように、固定側対向面４１１は、内側部４１における、回動中心部３２を中心とする内周側の部位の略全体に形成されている。内側部４１における、固定側対向面４１１の基端側に隣接する部位には、可動コア３４の先端面３４２と対向する平坦状の底面４１２が形成されている。固定コア４における内側部４１、一対の外側部４２Ａ，４２Ｂ及び連結部４３は、励磁コイル２３における、打球槌３と対向する側とは反対側の端面から配置されている。一対の外側部４２Ａ，４２Ｂは、励磁コイル２３の端面から、励磁コイル２３の中心軸線Ｘの方向の全長に対する半分以上の長さに形成されている。
【００２０】
ベース部材２２は、固定コア４の一対の外側部４２Ａ，４２Ｂと対面する位置、及び連結部４３と対面する位置を含む形状に形成されている。ベース部材２２における、一方の外側部４２Ａと対面する位置に設けられた第１部分２２１は、打球槌３の回動中心部３２が取り付けられる位置まで延設されている。ベース部材２２における、他方の外側部４２Ｂと対面する位置に設けられた第２部分２２２は、着座部５が取り付けられる位置まで延設されている。ベース部材２２における第１部分２２１と第２部分２２２との間の部位であって、打球槌３が回動する際の可動コア３４に対向する部位には、ベース部材２２の一部が存在しないことによる切欠き部２２３が形成されている。
打球槌３が回動する際に、可動コア３４はベース部材２２と対向しない。これにより、可動コア３４とベース部材２２との間に磁気吸引力が直接作用することにより発生する、打球槌３の回転トルク及び回転速度の低下を防止し、打球槌３による遊技球８の発射強度を高く維持することができる。
【００２１】
図１、図２に示すように、可動コア３４における、回動中心部３２を中心とする外周側に位置する可動側対向面３４１は、回動中心部３２を中心とする円軌道Ｃに沿った凸状の曲面に形成されている。可動コア３４における、回動中心部３２を中心とする内周側に位置する面は、直線状の平面に形成されている。また、可動コア３４の先端部には、固定コア４の内側部４１における底面４１２に対向する先端面３４２が形成されている。可動側対向面３４１は、可動コア３４における先端面３４２を除き、可動コア３４における、回動中心部３２を中心とする外周側の部位の全体に形成されている。
可動コア３４は、励磁コイル２３の内側において、励磁コイル２３の中心軸線Ｘの方向の全長における、半分以上の長さの範囲に挿入される。
【００２２】
本例の球発射装置１の打球槌３は、励磁コイル２３の励磁によって磁気吸引されて、遊技球８を打球するフラッパーソレノイド構造のものである。
打球槌３は、図１に示すように、励磁コイル２３が通電されていないときに、自重によって打球部３３が回動中心部３２の下方に位置する初期位置３０１と、図２に示すように、励磁コイル２３が通電されたときに、励磁コイル２３による磁気吸引力によって、打球部３３が回動中心部３２に対する斜め下方へ移動した打球位置３０２とに回動可能である。
【００２３】
図１〜図３に示すように、打球槌３は、ベース部材２２に対して、回動中心部３２及び軸受２５Ａ，２５Ｂを介して回動可能に配置されている。打球部３３は、遊技球８と衝突する平坦面を有する樹脂製の部材で形成されており、打球槌３の本体部３１の端部に設けられている。可動コア３４は、打球槌３における回動中心部３２と打球部３３との中間位置に取り付けられている。
【００２４】
メインプレート２１には、自重によって初期位置３０１に復帰した打球槌３が当接する初期位置ストッパー２４Ａと、励磁コイル２３の励磁によって打球位置３０２に回動した打球槌３が当接する打球位置ストッパー２４Ｂとが配置されている。
初期位置ストッパー２４Ａには、打球槌３の打球部３３の背面が当接する。打球位置ストッパー２４Ｂには、打球槌３の本体部３１における、打球部３３とは回動中心部３２を間に介して反対側の端部に設けられたアーム突起部３１１が当接する。
【００２５】
図１に示すように、打球槌３が初期位置３０１にある状態において、可動コア３４の先端部は、励磁コイル２３の内側に配置されている。これにより、励磁コイル２３に通電を行ったときに発生する磁場が、可動コア３４を通過しやすくなり、打球槌３を初期位置３０１から打球位置３０２へ駆動する力を強くすることができる。
【００２６】
図３に示すように、打球槌３の回動中心部３２は、ベース部材２２等に配置された一対の軸受２５Ａ，２５Ｂによって両端支持される軸部材によって形成されている。奥側（図中左側）の軸受２５Ａは、ベース部材２２に設けられた貫通穴２２４に支持（埋設）されており、手前側（図中右側）の軸受２５Ｂは、ベース部材２２に取り付けられた支持部材２６に支持されている。ここで、同図は、打球槌３の回動中心部３２の周辺と励磁コイル２３の周辺とを同じ断面図として示す。
【００２７】
励磁コイル２３の一部は、メインプレート２１に形成された収容部２１１及びベース部材２２に形成された切欠き部２２３に配置されている。励磁コイル２３の一部が収容部２１１及び切欠き部２２３に配置され、奥側の軸受２５Ａがベース部材２２の貫通穴２２４に支持されていることにより、打球槌３をベース部材２２の表面に近い位置に配置し、球発射装置１の前後方向Ｄにおける厚みを小さくすることができる。
軸部材としての回動中心部３２は、打球槌３の本体部３１に設けられた嵌合穴３１２に嵌入されており、打球槌３は、バネ２７の付勢力（図３において矢印Ｆによって示す。）を受けて、前後方向Ｄの位置が固定されている。
【００２８】
本形態の遊技機６の球発射装置１においては、可動コア３４及び固定コア４の形状に工夫をし、打球槌３が回動する過程における、可動コア３４と固定コア４との間隔が一定になるようにしている。具体的には、可動コア３４における外周側の部位の略全体に、円弧状の可動側対向面３４１が形成され、固定コア４に、可動側対向面３４１と対向する円弧状の固定側対向面４１１が形成されている。そして、励磁コイル２３が通電されて打球槌３が初期位置３０１から打球位置３０２へ回動する過程においては、可動コア３４と固定コア４とは、可動側対向面３４１と固定側対向面４１１とにおいてのみ互いに対向し、可動側対向面３４１と固定側対向面４１１との間隔が一定に維持される。これにより、可動コア３４と固定コア４との間に作用する磁気吸引力を効果的に高めることができ、打球槌３による遊技球８の発射強度を効果的に高めることができる。
【００２９】
なお、打球部３３が初期位置３０１から打球位置３０２に回動したときには、固定コア４の内側部４１の底面４１２には、可動コア３４の先端面３４２が対向する。この底面４１２と先端面３４２との対向は、打球槌３が打球位置３０２に回動したときに初めて行われるため、打球槌３が初期位置３０１から打球位置３０２へ回動する過程における可動コア３４と固定コア４との対向には含まれないこととする。
【００３０】
また、固定側対向面４１１は、略Ｅ形状の固定コア４における内側部４１に形成されており、励磁コイル２３が通電される際には、ベース部材２２も利用して磁路Ｊが形成される。これにより、可動コア３４と励磁コイル２３及び固定コア４との間に作用する磁気吸引力をさらに効果的に高めることができ、打球槌３による遊技球８の発射強度をさらに効果的に高めることができる。
【００３１】
それ故、本形態の遊技機６の球発射装置１によれば、打球槌３による遊技球８の発射強度を効果的に高めることができる。
【００３２】
（実施形態２）
本形態の球発射装置１は、図５、図６に示すように、遊技機６内において遊技球８が循環して使用される封入式の遊技機６に使用される。球発射装置１は、遊技機６を前方から見た場合に左側上方の角部に配置されている。そして、本形態の球発射装置１は、遊技球８の発射強度をそれほど大きくする必要がなく、固定コア４は、励磁コイル２３の内側に配置された内側部４１と、内側部４１に繋がり励磁コイル２３の端面に配置された端面部４４とによって形成されている。また、固定コア４を通過する磁場を通過させるための軟磁性のベース部材２２は用いていない。
【００３３】
可動コア３４は、打球槌３において、回動中心部３２に対して打球部３３が設けられた先端部とは反対側に位置する端部に取り付けられている。打球槌３は、打球部３３が設けられた部位と可動コア３４が取り付けられた部位とが回動中心部３２を間に挟んで略直角に屈曲する形状に形成されている。固定コア４及び励磁コイル２３は、打球槌３の回動中心部３２の上方に配置されている。
【００３４】
打球槌３、固定コア４、案内部材５１及び発射レール５２は、樹脂製のメインプレート２１に取り付けられている。初期位置ストッパー２４Ａ及び打球位置ストッパー２４Ｂは、案内部材５１に一体的に形成されており、略直角に屈曲する打球槌３の、屈曲の内側位置に配置されている。そして、メインプレート２１における、励磁コイル２３、打球槌３、固定コア４及び案内部材５１の左右方向における配置箇所が小さくまとまることにより、球発射装置１の左右方向の寸法を小さくすることができる。
【００３５】
本形態においても、その他の構成及び図中の符号が示す構成要素は実施形態１と同様であり、実施形態１と同様の作用効果を得ることができる。
本発明は、各実施形態のみに限定されるものではなく、その要旨を逸脱しない範囲においてさらに異なる実施形態を構成することが可能である。
【符号の説明】
【００３６】
１  球発射装置
２２  ベース部材
２２３  切欠き部
２３  励磁コイル
３  打球槌
３２  回動中心部
３４  可動コア
３４１  可動側対向面
４  固定コア
４１  内側部
４１１  固定側対向面
４２Ａ，４２Ｂ  外側部
４３  連結部
５  着座部
６  遊技機
【図１】
0006730053.tif 000002
【図２】
0006730053.tif 000003
【図３】
0006730053.tif 000004
【図４】
0006730053.tif 000005
【図５】
0006730053.tif 000006
【図６】
0006730053.tif 000007